(57)【要約】      （修正有）【課題】２つの組成物を混合できるようにメンブレンを破断し易く、または穿孔し易くしたキャップおよびパッケージングユニットを提供する。【解決手段】チャンバを有するキャップ１０１と、容器に取り付けられたこのキャップを有するパッケージングユニットであって、キャップに設けられたメンブレン４０５は、キャップ内のチャンバを容器内のリザーバから分離し、それにより、２つの異なる成分を使用時まで別々に保持する。キャップは、穿孔要素を備えた圧潰式ボタン１０２を有し、ボタンが押されると、メンブレンが穿孔され、チャンバおよびリザーバの内容物を互いに混ざり合わせることができる。【選択図】図４
0003210250.tif 000002
【実用新案登録請求の範囲】
【請求項１】
容器に取り付けられるように適合されたキャップであって、
開口端のチャンバを画定する圧潰式ボタンを有する主本体と、
前記開口端のチャンバを覆うようにして前記主本体と動作可能に係合された脆弱なメンブレンと、
前記圧潰式ボタンの内表面から延在する穿孔部材であって、前記圧潰式ボタンが圧潰されると、前記脆弱なメンブレンに向かって前進するとともに前記脆弱なメンブレンと相互作用して、前記脆弱なメンブレンを穿孔するように構成された穿孔部材と
を備え、
前記主本体が、補完的なねじ山を有する容器に取り付けることができるようなねじ山を備え、
前記脆弱なメンブレンが金属箔を含み、
前記穿孔部材が、スパイク、ブレード、パンチ、またはそれらの組合せを含み、前記メンブレンを穿孔する少なくとも１つの第１の部品と、前記穿孔されたメンブレンの一部分を分離して、材料が流れることができる開口部を提供する少なくとも１つの第２の部品とを備え、
前記主本体に取り付けられ、前記圧潰式ボタンを覆うように構成されたオーバーキャップをさらに備え、
前記圧潰式ボタンが、前記内表面を画定する螺旋状の壁およびカバー壁を備え、前記螺旋状の壁および前記カバー壁が協働して前記開口端のチャンバを形成し、前記脆弱なメンブレンが前記カバー壁の前記内表面の反対側に配設され、
前記カバー壁が、実質的に平面の外形および実質的に凸面の外形のうち１つを有し、
前記主本体が、前記圧潰式ボタンを圧潰位置で保定するように構成された少なくとも１つの保定クリップを備える、キャップ。
【請求項２】
前記脆弱なメンブレンを含むボアシールをさらに備え、前記ボアシールが、前記主本体
と動作可能に係合されるとともに、前記開口端のチャンバを覆うように前記脆弱なメンブ
レンを位置付けるように構成されている、請求項１に記載のキャップ。
【請求項３】
前記ボアシールがリングシールおよびスナップビードを備え、前記リングシールおよび
前記スナップビードが前記脆弱なメンブレンと協働して前記開口端のチャンバを封止する
、請求項２に記載のキャップ。
【請求項４】
請求項１から３のいずれか一項に記載のキャップと、リザーバを内部に有する容器とを
備えるパッケージングユニットであって、前記キャップが前記容器の開放端にしっかり取
り付けられて前記リザーバを封止し、前記キャップの前記脆弱なメンブレンが前記チャン
バを前記リザーバから分離する、パッケージングユニット。
【考案の詳細な説明】
【技術分野】
【０００１】
本考案は、使用前に一緒に混合される２つの異なる組成物を含有するパッケージングユニットに関し、このパッケージングユニットは、一方の組成物を保持するチャンバを有するキャップと、もう一方の組成物を保持する容器と、これらの２つの組成物を分離するメンブレンとを含み、キャップは、２つの組成物を混合できるようにメンブレンを破断し易く、または穿孔し易くするように構成されている。
【背景技術】
【０００２】
二相製品とは、製品が、液体および粉末である場合が多いが、液体と液体の組合せおよびペーストとペーストの組合せでもある２つの別個の成分として、使用時まで成分を別々に保持することができるパッケージングの形で供給されるものである。成分を別々に保持する必要性は、いくつかの理由から発生するが、通常、それらが相互作用することによって一方または他方の品質が低下すること、あるいは製品を機能させるのに必須の何らかの相互作用は短い時間枠で発生するので、早期に開始させるべきでないことが理由である。
【０００３】
成分を別々に保持する機能を果たすが、パック内でそれらを混ぜ合わせることができる、多数のパッケージングの設計が存在する。例えば、パッケージングの１つのコンパートメントは、容器のキャップ内のチャンバとして構成され、また、何らかの形態のアプリケータまたは分配機構を組み込んでいることができる。
【０００４】
成分をパッケージング内で組み合わせる共通の手段は、脆弱なメンブレンまたは可剥性シールを破断することによる。商業用途の設計のうち多数は、消費者がボタンを押し、それによって脆弱なメンブレンを破断することによって始動する。他の例では、押すことによって、パッケージングのチャンバ間のオリフィスが一列に並ぶ。ボタンは、一般に、筒内で作動するピストンとして構成されている。
【０００５】
パッケージングは、２つのチャンバの成分を単に物理的に別々に保持するだけではなく、任意の揮発成分がメンブレンまたはシールを通って他のコンパートメント内へと浸透するのを防ぐべきである。また、成分はパッケージング外部の雰囲気からの保護を必要とすることがある。当然、ボタンと筒との間の締まり嵌め、およびチャンバ間の境界面の性質は、可能な限り確実であるべきである。この１つの結果として、ボタンを押し下げるのに必要な力は、製品の対象ユーザ群にとって容認できるものよりも強い場合が多い。これは、製品が部品同士の摩擦を引き起こすことによって悪化する場合がある。
【０００６】
脆弱なメンブレンとしてアルミニウム箔を使用する一部の設計では、特に中に収容される成分がタブレットである場合、キャップ内の製品チャンバは従来のブリスタとして構成されている。しかし、かかる設計には、ブリスタをキャップに挿入する前にブリスタを充填する追加ステップが必要であり、多数の異なる材料を使用し、またブリスタはその圧潰をもたらす機構を有さない。これらのうち一部では、ブリスタの箔面は、第２のチャンバを備える容器の縁を封止するのに使用される。硬質面であり、かつ弾力的な設計機構を有さないことから、このシールは、容器の縁の多様性または作動トルクの撤回に十分に適応しないことがあり、確実でないことを示すこともある。
【０００７】
かかるパッケージングのいくつかの設計では、ボタンはねじ山と関連付けられ、したがって、ねじ込み動作の機械的利点によってユーザが要する労力が大幅に低減される。コンパートメントを連結する動作は最も頻繁であり、キャップがさらに締められるか、または完全に開ける前に部分的にだけ緩められる。かかる動作、および製品の成分を一緒に混合する途中での中断は、多数のユーザにとって反直観的であり、誤使用によって製品の性能が低減される恐れがある。
【０００８】
さらに、製品成分をパッケージングに充填する手段について考慮すべきである。一般に、製品製造の現場においてキャップに成分を充填し組み立てる複数のステップを回避することが好ましく、または別の場所で専門の機器を用いて充填し組み立てることが必要である。市販のユニットでは、キャップ内の製品チャンバは、小さな容器を充填する方式で、一方の個片が充填され他方がその上に押し付けられる、単純な二片構成である場合が多い。この半組立品はまた、従来の方式で主容器の本体に嵌合される。
【０００９】
パッケージング成分の供給の複雑性およびそれらの最終的な処分についても考慮すべきである。成分および使用する材料の数を低減することは常に好ましい。
米国特許出願公開第２０１０／０７８４３８Ａ号は、シールによってキャップ下方の一次材料から分離された、二次材料用の格納チャンバを備えたキャップアセンブリについて記載している。キャップが回されると、シールが脇へ移動し、二次材料が一次材料と混ざり合うことができる。
【００１０】
米国特許出願公開第２００６／２１９７３６Ａ号は、２つのコンパートメントに別個にパッケージングされた少なくとも２つの製品と接触して位置するデバイスについて記載している。第１のコンパートメントは容器内にあり、第２のコンパートメントは少なくとも部分的に、中間部品によって容器に取り付けられた本体内にある。作動動作によって、容器に対する本体の位置が変化し、２つのコンパートメントが互いに連通して位置する。
【００１１】
欧州特許出願公開第１６２３９３２Ａ号は、容器に取り付けられたリザーバを含有するカプセルと、上からの圧力によって作動する破断手段とを有し、前記カプセル、破断手段、およびリザーバが単一体で作られたデバイスについて記載している。
【００１２】
米国特許出願公開第２０１０／０１２６６０Ａ号は、容器の頂部に取り付けられたリザーバを有するカプセルであって、妨害物を取り出すまでリザーバの内容物を容器から分離する妨害物を有するカプセルについて記載している。
【００１３】
米国特許出願公開第２００２／０５３５２４Ａ号は、粉末を格納しそれをボトル内へと放出するためのキャップについて記載している。キャップは、キャップトップと、キャップトップに部分的に嵌合して粉末を保持するキャビティを形成する内側部材とを有し、キャップはボトルのネックの上に固定される。キャップを回転させると、キャップトップが内側のメンブレンに対して持ち上がり、それによってチャンバが開く。
【考案の概要】
【課題を解決するための手段】
【００１４】
本考案は、チャンバを中に画定する圧潰式ボタン（collapsible button）を備えるキャップを具備し、このキャップは、底部に開口部を有する。メンブレンは、開口部をしっかり覆ってチャンバの内容物をシールする。圧潰式ボタンは、十分な内向きの圧力が加えられてボタンを圧潰すると、メンブレンを穿孔するように配設された穿孔部材をその内表面に有する。キャップは、容器の頂部に取り付けられて、例えばボトルのネックにねじ留めされるので、メンブレンが穿孔されると、チャンバの内容物が容器の内容物と混ざり合うことができる。
【００１５】
キャップはまた、フリップさらにフリップトップあるいはオーバーキャップを含んでもよい。例えば、単一片が、圧潰式ボタンと、蝶番によってそれに接続されたフリップトップとを備えてもよく、または別個のオーバーキャップを、圧潰式ボタンを備える個片の上にスナップ留めまたはねじ留めしてもよい。
【００１６】
本考案はまた、上述のキャップ、例えば、ねじ山または他の方法によって、キャップが容器のネックもしくは開口部に固着されたボトルまたは他の容器を含むパッケージングユニットを備える。パッケージングユニットは、内容物を保持するための、一方がキャップチャンバ内、他方が容器内にある２つのコンパートメントを有し、２つのコンパートメンは、メンブレンが穿孔部材によって穿孔されるまで、メンブレンによって分離される。
【図面の簡単な説明】
【００１７】
【図１】フリップトップが開位置にある本考案の１つの態様を示す斜視図である。
【図２】キャップリングシールを示す１つの態様の斜視断面図である。
【図３】圧潰式ボタンの下面にある穿孔要素の１つの態様を示す断面図である。
【図４】図４Ａはフリップトップが開位置にある本考案の１つ態様を示す側面斜視図である。図４Ｂは封止リングを備えたキャップの１つ態様を示す下面図である。
【図５】図５Ａは本考案の１つ態様を示す縦断面図である。図５Ｂはキャップリングシールを示す１つ態様の斜視断面図である。
【図６】図６Ａはフリップトップが開位置にある本考案の１つ態様を示す側面斜視図である。図６Ｂはキャップリングシールを示す１つの態様の縦断面図である。
【図７】キャップが容器に取り付けられており、ボタンが圧潰位置にある、本考案の１つ態様を示す斜視図である。
【考案を実施するための形態】
【００１８】
本考案の１つの態様では、キャップは、押し下げると相対的に小さな力でボタンの下にある中空の空間またはチャンバ内へと圧潰するように、折り目を備えて構成された中空のボタンを含む。１つまたは複数のスパイク、ブレード、パンチ、または他の穿孔要素など、ボタンの下面にある機構は、キャップの底部にあるチャンバ開口部を封止している脆弱なメンブレンを破断する役割を果たす。圧潰式ボタンの利点は、それを押し込むことによって安全なシールを破断する必要がなく、したがって、ボタンを押し下げるのに要する最小限の力が、かかるシールの強度によって制限されないことである。
【００１９】
圧潰式ボタンの折り目は様々な形態をとってもよく、いくつかの態様では、射出金型を設計する際に通常は、困難をきたすであろうアンダーカットを作成してもよい。いくつかの態様では、金型内の追加の移動片が、所望の形態を達成するために求められる。本考案の１つの態様では、折り目は、キャップのねじ山と同じねじピッチを有する螺旋状であり、そのため、金型の回転によってキャップが両方から同時に外れる。圧潰式ボタンは、キャップの本体と一体であってもよく、または当技術分野で知られている機器および方法を使用して、本体に組み付けられてもよい。
【００２０】
概して、圧潰式ボタンの折り目は断面が薄く、そのため、外部雰囲気に対する浸透性が増加し、早期の押圧または損傷を受けやすくなることがある。したがって、いくつかの態様では、キャップは、キャップの製造時点で閉じられてもよいフリップトップを含んで、ボタンと折り目を外部雰囲気および外力から保護する。これは、圧潰ボタンのバリア性を補足して、それを保護するとともに、ボタンチャンバを充填する際にキャップを反転させたときの支承面として作用する。代替の態様では、フリップトップの代わりに、キャップ上にスナップ留め、ねじ留め、または別の方法で固着される、頂部の個片またはオーバーキャップがあってもよい。１つの態様では、フリップトップはキャップに対して蝶番で取り付けられる。キャップおよびフリップトップは、可撓性ポリマーで構築された単一片を備えてもよい。
【００２１】
いくつかの態様では、キャップは、プレス嵌めによって接続された２つの部品を備える。第１の部品は、上端部に圧潰式ボタンを、下端部にチャンバへの開口部を有する、チャンバを封じ込める主本体を備える。第２の部品は、座部、例えばアルミニウム箔によって隠された、大きな中央オリフィスを有するリングを備える。１つの態様では、箔は、製品からアルミニウムを保護するコーティングを一方の面に有し、リングの材料に対して熱シール可能である。それは、誘導シール可能なライナーを挿入するために一般に使用される方法および機器を使用して、リングに挿入されてもよい。誘導シールまたは超音波溶接などの従来技術によって同時に封止される、コート面はリングに面している。これらの態様では、第２の部品は第１の部品に圧入されて、２つのプレス嵌めされた部品の間に箔をきつく封止する。
【００２２】
２つの部品を互いに適合させる前に、キャップ内部のチャンバを、所望の製品、成分、または組成物で充填しなければならない。チャンバの開放端は底部にあるので、主本体は充填のために反転させられる。チャンバが所望のレベルまで充填された後、シールを備えたリングが主本体に圧入されて、チャンバがシールで閉じられるので、箔を破断するまでチャンバの内容物はキャップ内で保たれる。
【００２３】
反転させたキャップ内に製品を充填し、２つの部品を互いに適合させることは、硬質ゼラチンカプセルなどを充填するのに一般的に使用される機械類で従来的に行われてもよい。
【００２４】
メンブレンを介した材料の混合または浸透を防ぐのに十分なバリアとなり、突き破るために過剰な力を要さない限り、任意の既知の材料が、２つのコンパートメントを封止または分離するメンブレンとして使用されてもよい。典型的には、紙（例えば、パラフィン紙）、金属箔、プラスチックフィルムなど、非常に薄い材料がメンブレンに使用される。浸透に対するバリア性がプラスチックフィルムよりもはるかに高く、プラスチックよりも穿通が簡単であるため、アルミニウム箔が非常に適している。製品に対する潜在的な化学反応性および／または透湿性を低減するため、メンブレンはコーティングされてもよい。
【００２５】
本考案では、キャップの部品は、典型的には、メンブレンの縁部が製品から隔離されるようにして、互いに適合される。このことは、コーティングを施したアルミニウム箔を使用したときに顕著であるが、それは、アルミニウムが貯蔵中にある種の製品に溶解する傾向があり、特に製品が経口摂取用である場合に、製品とパッケージングとの間の相互作用を回避すべきであることが理由である。
【００２６】
本考案では、キャップの本体は、第２のチャンバを備える容器のボアに嵌合する。この種のボアシールは当技術分野において良く知られており、当技術分野で知られている容器の縁に当接する、さらなる弾力性のシール機構によって補足されてもよい。それに加えて、圧力リングであるボアシールはさらに、キャップの部品を互いに固定し、それらの間のシールを担保することができる。
【００２７】
本考案の実施において、エンドユーザは、フリップトップを開き（または、存在する場合、頂部の個片もしくはオーバーキャップを除去し）、ボタンを押して陥没させて、メンブレンを穿孔し、キャップの内容物を容器内へと放出することが想起される。フリップトップまたはオーバーキャップの下には開口部がないため、開封明示（tamper evidence）を設ける必要はない。フリップトップの蝶番は、単回使用向けに設計されてもよいので、設計を複雑化させる必要がない。いくつかの態様では、フリップトップは再閉止されてもよい。１つの態様では、キャップのフリップトップ、蝶番、および主本体は、単一の鋳造または成型片である。
【００２８】
圧潰式ボタンの頂部と一体の穿孔要素は、脆弱なメンブレンを穿孔する役割を果たす。これは、単純なスパイク、パンチ、またはブレードの形態をとってもよいが、それが生み出す穴を妨害しないことが重要であるので、一旦脆弱なメンブレンが破られると、製品が穿孔要素を越えて流れることができることを担保するように設計すべきである。例えば、その断面は十字形または円筒状であってもよく、複数の要素を備えてもよく、先細状またはぎざぎざであってもよく、あるいは、圧潰式ボタンの折り目は、穿孔要素が脆弱なメンブレンを貫通する際に、直線状、円形、アーチ形、または他の経路を掃引するように工夫されてもよい。メンブレンを穿孔し、製品がそこを超えて流れることを可能にする、当技術分野で知られている任意の形態または設計の穿孔要素が使用されてもよい。いくつかの態様では、ボタンの圧潰式の機構によって、押し下げられるにつれて回転し、その結果、偏心した穿孔要素が脆弱なメンブレンを通る経路を切断してもよい。
【００２９】
１つの態様では、穿孔部材は、メンブレンを穿孔する少なくとも１つの第１の部品と、穿孔されたメンブレンの一部分を移動させて、材料が流れることができる開口部を提供する少なくとも１つの第２の部品とを備える。
【００３０】
メンブレンが破断した後、２つの成分または組成物が混ざり合って全ての内容物が十分に混合されるように、必要に応じて容器を振ることが望ましい。当業者であれば、内容物およびそれらの意図される用途に応じて変わる、必要であろう混合の量を決定することができるであろう。本考案のいくつかの態様では、製品は、キャップ全体を除去することによって、例えばキャップを容器から外すことによってアクセスされる。いくつかの態様では、キャップは開封明示機構を、例えば開封明示用のネックバンド（tamper evident neck band）を有する。キャップは、容器とキャップとの間に緊密なシールが存在して内容物の漏れまたは汚染を防ぐ限り、ねじ留めまたはスナップ留めなど、当技術分野で知られている任意の適切な方法によって、容器に取り付けられてもよい。当技術分野で知られているあらゆる任意の開封明示要素が適宜使用されてもよい。
【００３１】
ボタンの圧潰に対する本明細書での言及は、ボタンの頂部またはカバー壁ならびに穿孔部材が脆弱なメンブレンに向かって前進する一方、ボタンの折り目（同心、螺旋状、または別の形であるのにかかわらず）が押し潰されて互いに近付いて、穿孔部材がメンブレンを穿孔し、そこを通る開口部を作るのに少なくとも十分な距離だけ前進することを意味することが理解されるであろう。また、ボタンがその最初の完全に延長した位置からその完全に圧潰した位置まで移動する距離、ならびに完全に圧潰した位置におけるキャップの残りの部分に対するカバー壁の位置は、キャップの正確な設計に応じて変わることが理解されるであろう。
【００３２】
本考案の以下の態様は単なる例証であり、本考案の範囲を限定しようとするものではない。これらの態様では、部品は成型によって作られ、例えば成型プラスチックであってもよい。プラスチック成型は、概して、比較的簡単で安価であるが、他の方法および材料も本考案の実施において使用されてもよい。
【００３３】
図１は、主本体１１１と、圧潰式ボタン１０２と、蝶番１０４によって取り付けられたフリップトップ１０３とを有する、キャップ１０１の１つの態様を示す。ボタンの圧潰式機構は、漸増的に角度が変化する段として配置されるので、連続して圧潰する。この態様では、開放機構がキャップを嵌合するのに使用される機器に対する任意の特定の向きを要することなく、フリップトップの壁１０５は内向きに掃引されて開放を容易にし、開封明示用のネックバンド１０６が存在する。圧潰式ボタン１０２は、チャンバ開口部１０８の反対側に配設されるカバー壁１０７を含んでもよい。いくつかの例では、カバー壁１０７は実質的に平面であってもよい（図１〜図３、図６Ａ、および図６Ｂを参照）。他の例では、カバー壁１０７は、実質的に凸面または凹面の外形を有してもよい（図４Ａ、図５Ａ
、および図５Ｂを参照）。さらに、カバー壁１０７は、外表面の周りに１つまたは複数の溝１０９を画定して、圧潰式ボタン１０２の把持を改善してもよい。
【００３４】
図２は、図１の態様を断面で示す。キャップ１０１は、スナップビード２０３を有するボアシール２０１と、スナップビード２０３に嵌合してキャップ１０１内部にシールされたチャンバを形成するリングシール２０２とを備える。キャップ１０１は、容器２０４のネック上にねじ留めすることができる。図３に示されるように、圧潰式ボタン１０２の下面（例えば、内表面１１０）は、４つのプロング状穿孔要素を有する穿孔部材を備え、長い方のプロング３０１は、メンブレンを穿孔するように設計され、短い方のプロング３０３は、破れたメンブレンを容器２０４に向かって折り畳むように設計され、それによって、チャンバとそれに取り付けられた容器２０４のリザーバとの間での内容物の混合を容易にする十分な開口部が作り出される。
【００３５】
図４Ａは、螺旋状の薄壁４０２を有する圧潰式ボタン１０２を示す。保定クリップ４０１と、ボタン１０２が完全に押し下げられて保定クリップ４０１によってその位置で保持されていることをユーザに知らせる、ボタン１０２の拡大頂部も示されている。即ち、圧潰式ボタン１０２が完全に圧潰した位置にあるとき、カバー壁１０７が保定クリップ４０１と相互作用して、圧潰式ボタン１０２がかかる位置で維持されてもよい。この態様は、拡大したボタン１０２および保定クリップ４０１を解放するために金型の一部を分割する必要があるため、図１〜図３の態様よりも生産するのが複雑である。図４Ｂは、リング４０３と、メンブレン４０５と、図２に示されるスナップビード２０３にスナップ留めされるリング４０３内の陥凹部４０４とを備えるリングシールを示す、キャップ１０１の下面の図を示す。
【００３６】
図５Ａおよび図５Ｂは、図４Ａの態様の内部断面を示す。
図６Ａおよび図６Ｂは、窪んだ先細状の螺旋状形態６０１の圧潰式ボタン１０２を有するキャップ１０１の１つの態様を示す。この態様の圧潰式ボタン１０２は、図４および図５に示されるものよりも大幅に圧潰され得るが、金型の両方の部品を回転させる必要があるので、製造がある程度複雑である。圧潰式ボタン１０２は、金型からの除去を容易にするようにわずかに円錐形に作られる。図６Ｂは、リングシール６０２の嵌合のための代替構成を示す。
【００３７】
図７は、キャップ１０１が容器２０４に取り付けられ、フリップトップ１０３が開いており、ボタン１０２が圧潰位置にあって保定クリップ４０１と係合されている、本考案の１つの態様を示す。
【００３８】
本明細書に例証しない本考案の多数の変形形態が当業者には想起されるであろう。本考案は、本明細書に例証し記載した態様に限定されず、添付の特許請求の範囲の範囲内にあるすべての主題を包含する。
【００３９】
本考案は、以下の態様に関し得るものと理解される。
（態様１）容器に取り付けられるように適合されたキャップであって、開口端のチャンバを画定する圧潰式ボタンを有する主本体と、前記開口端のチャンバを覆うようにして前記主本体と動作可能に係合された脆弱なメンブレンと、前記圧潰式ボタンの内表面から延在する穿孔部材であって、前記圧潰式ボタンが圧潰されると、前記脆弱なメンブレンに向かって前進するとともに前記脆弱なメンブレンと相互作用して、前記脆弱なメンブレンを穿孔するように構成された穿孔部材とを備える、キャップ。
（態様２）前記主本体が、補完的なねじ山を有する容器に取り付けることができるようなねじ山を備える、態様１に記載のキャップ。
（態様３）前記脆弱なメンブレンが金属箔を含む、態様１または２に記載のキャップ。
（態様４）前記金属箔がアルミニウムを含む、態様３に記載のキャップ。
（態様５）前記穿孔部材が、スパイク、ブレード、パンチ、またはそれらの組合せを含む、態様１から４のいずれかに記載のキャップ。
（態様６）前記穿孔部材が、前記メンブレンを穿孔する少なくとも１つの第１の部品と、前記穿孔されたメンブレンの一部分を分離して、材料が流れることができる開口部を提供する少なくとも１つの第２の部品とを備える、態様１から５のいずれかに記載のキャップ。
（態様７）前記主本体に取り付けられ、前記圧潰式ボタンを覆うように構成されたオーバーキャップをさらに備える、態様１から６のいずれかに記載のキャップ。
（態様８）前記圧潰式ボタンが、前記内表面を画定する螺旋状の壁およびカバー壁を備え、前記螺旋状の壁および前記カバー壁が協働して前記開口端のチャンバを形成し、前記脆弱なメンブレンが前記カバー壁の前記内表面の反対側に配設される、態様１に記載のキャップ。
（態様９）前記カバー壁が、実質的に平面の外形および実質的に凸面の外形のうち１つを有する、態様８に記載のキャップ。
（態様１０）前記主本体が、前記圧潰式ボタンを圧潰位置で保定するように構成された少なくとも１つの保定クリップを備える、態様８に記載のキャップ。
（態様１１）前記脆弱なメンブレンを含むボアシールをさらに備え、前記ボアシールが、前記主本体と動作可能に係合されるとともに、前記開口端のチャンバを覆うように前記脆弱なメンブレンを位置付けるように構成されている、態様１に記載のキャップ。
（態様１２）前記ボアシールがリングシールおよびスナップビードを備え、前記リングシールおよび前記スナップビードが前記脆弱なメンブレンと協働して前記開口端のチャンバを封止する、態様１１に記載のキャップ。
（態様１３）態様１から１１のいずれかに記載のキャップと、リザーバを内部に有する容器とを備えるパッケージングユニットであって、前記キャップが前記容器の開放端にしっかり取り付けられて前記リザーバを封止し、前記キャップの前記脆弱なメンブレンが前記チャンバを前記リザーバから分離する、パッケージングユニット。
（態様１４）パッケージングユニット内に別個に格納された組成物を混合する方法であって、容器に取り付けられるように構成されたキャップに、第１の組成物を格納するステップであって、前記キャップが、開口端のチャンバを画定する圧潰式ボタンを有する主本体を備え、前記キャップが、前記開口端のチャンバを覆うとともに前記第１の組成物を内部に収容するように、前記主本体と動作可能に係合された脆弱なメンブレンをさらに備える、ステップと、前記容器のリザーバに第２の組成物を格納するステップと、前記圧潰式ボタンを圧潰し、それによって穿孔部材を前記脆弱なメンブレンに向かって前進させて前記脆弱なメンブレンと相互作用させることによって、前記圧潰式ボタンの内表面から延在する前記穿孔部材によって前記脆弱なメンブレンを穿孔して、前記第１の組成物を前記第２の組成物と混合するステップとを含む、方法。
【図１】
0003210250.tif 000003
【図２】
0003210250.tif 000004
【図３】
0003210250.tif 000005
【図４】
0003210250.tif 000006
【図５】
0003210250.tif 000007
【図６】
0003210250.tif 000008
【図７】
0003210250.tif 000009